(57)【要約】容器、キャップ、およびシールのアセンブリ（１０）は、容器基部（２０）と、キャップ（３０）と、容器基部と係合可能なシール（４０）とを備えている。シールは、キャップが基部上に最初に搭載される場合、キャップ上に保持されている。キャップが後に開放される場合、シールは、キャップから係合を解き、基部上に残る。次いで、シールは、所望に応じて手動で除去され、基部上に再搭載され得る。容器、キャップ、およびシールのアセンブリは、ペースト、液体、および他の流動性材料を含むために使用され得る。
2013535383.tif 000002
【特許請求の範囲】
【請求項１】
容器キャップおよびシールアセンブリであって、
内部容積を有する容器基部と、
前記容器基部上で開放位置から閉鎖位置に移動可能であるキャップと、
シール部材と
を備え、
前記シール部材は、前記容器基部の表面と係合可能な密閉表面を有することにより、前記容器基部の内部容積のためのシールを提供し、前記シール部材は、前記キャップが最初に前記開放位置から前記閉鎖位置に移動される場合に、前記キャップ上に一時的に保持されている、容器キャップおよびシールアセンブリ。
【請求項２】
前記シール部材は、前記シール部材の一部を前記キャップの一部に対して押しつけることによって、前記キャップ上に一時的に保持されている、請求項１に記載の容器キャップおよびシールアセンブリ。
【請求項３】
前記シール部材は、半径方向内向きに延在する縁を備え、前記キャップは、下向きに延在する環状リングを備え、前記シール部材は、前記半径方向内向きに延在する縁と前記下向きに延在する環状リングとの間の接触によって、前記キャップ上に一時的に保持されている、請求項２に記載の容器キャップおよびシールアセンブリ。
【請求項４】
前記シール部材は、略円筒形側壁を備え、前記半径方向内向きに延在する縁は、前記側壁に接続されている略円錐形部分と、前記キャップの下向きに延在する環状リングと接触する半径方向内向きに延在する円形フランジとを備えている、請求項３に記載の容器キャップおよびシールアセンブリ。
【請求項５】
前記半径方向内向きに延在する円形フランジは、前記下向きに延在する環状リングと接触する隆起リングを含む、請求項４に記載の容器キャップおよびシールアセンブリ。
【請求項６】
前記シール部材は、前記シールを提供するために、前記容器基部の略円筒形内側表面に接触する円形外側表面を備えている、請求項１に記載の容器キャップおよびシールアセンブリ。
【請求項７】
前記シール部材の外側表面は、略円筒形である、請求項６に記載の容器キャップおよびシールアセンブリ。
【請求項８】
前記シール部材の外側表面は、前記容器基部の内側表面と接触する少なくとも１つの隆起リングを備えている、請求項６に記載の容器キャップおよびシールアセンブリ。
【請求項９】
前記シール部材は、前記容器基部の上縁に接触する表面を有する半径方向外向きに延在するフランジをさらに備えている、請求項６に記載の容器キャップおよびシールアセンブリ。
【請求項１０】
前記容器基部およびキャップは、前記キャップを前記閉鎖位置に固着するために、係合可能なネジ山を備えている、請求項１に記載の容器キャップおよびシールアセンブリ。
【請求項１１】
前記係合可能なネジ山は、１／４回転ネジ山である、請求項１０に記載の容器キャップおよびシールアセンブリ。
【請求項１２】
前記容器基部およびキャップ上に係合可能な触覚停止部材をさらに備え、前記停止部材は、前記キャップが前記閉鎖位置に移動されると、互に係合する、請求項１０に記載の容器キャップおよびシールアセンブリ。
【請求項１３】
前記係合可能な触覚停止部材は、対向する半径方向に延在するリッジを備えている、請求項１２に記載の容器キャップおよびシールアセンブリ。
【請求項１４】
容器のためのキャップおよびシールアセンブリであって、
前記容器の基部と係合可能な少なくとも１つのネジ山を備えているキャップと、
前記キャップ上に保持されているシール部材と
を備え、
前記キャップおよびシール部材は、前記キャップが前記容器の基部に固着されるまで、前記キャップ上に前記シール部材を一時的に保持するように構築および配置されている、アセンブリ。
【請求項１５】
容器を密閉する方法であって、
容器基部を流動性材料で少なくとも部分的に充填することと、
キャップおよびシール部材を一緒に前記容器基部上に搭載することと
を含み、
前記キャップおよびシール部材は、前記キャップが前記容器基部から後に除去される場合に、互に係合を解くように構築および配置されている、方法。
【請求項１６】
前記シール部材は、前記キャップが除去された後、前記容器基部から手によって除去可能である、請求項１５に記載の方法。
【請求項１７】
前記シール部材は、前記容器基部から除去された後、前記容器基部上に再搭載されることが可能である、請求項１６に記載の方法。
【請求項１８】
前記シール部材は、前記キャップが前記容器基部から除去された後、前記キャップ上に再係合されることが可能である、請求項１６に記載の方法。
【請求項１９】
前記流動性材料は、ペーストを備えている、請求項１５に記載の方法。
【請求項２０】
前記ペーストは、半田ペーストを備えている、請求項１９に記載の方法。
【発明の詳細な説明】
【技術分野】
【０００１】
（関連出願の引用）
本願は、米国仮特許出願第６１／３７１，０８０号（２０１０年８月５日出願）の利益を主張する。該出願は、参照により本明細書に引用される。
【０００２】
（発明の分野）
本発明は、容器閉鎖に関し、より具体的には、ペースト、液体、および他の材料のための容器キャップおよびシールアセンブリに関する。
【背景技術】
【０００３】
種々のタイプの容器閉鎖部が、周知である。例えば、従来の半田ペースト瓶は、基部と、キャップと、瓶内に含まれるペーストとの空気接触を最小限にするための別個のシールとを有する。そのようなシールは、半田ペーストの上面に対して、瓶の基部内に押下される摺動可能ピストン、またはキャップと基部の上縁との間の領域内に搭載される上部シールのいずれかの形態である。そのような標準的シールは、空気が、半田ペーストに接触するのを効果的に防止し得るが、瓶が、充填された後、但しキャップが瓶の基部に固着される前に、瓶内にシールを別個に搭載するので、製造プロセス中に追加のステップを必要とする。
【発明の概要】
【課題を解決するための手段】
【０００４】
本発明の側面は、容器キャップおよびシールアセンブリであって、内部容積を有する容器基部と、容器基部上の開放位置から閉鎖位置に移動可能なキャップと、容器基部の表面と係合可能であって、それによって、容器基部の内部容積のためのシールを提供する密閉表面を有するシール部材とを備え、シール部材は、キャップが最初に開放位置から閉鎖位置に移動される場合、キャップ上に一時的に保持されている、容器キャップおよびシールアセンブリを提供することである。
【０００５】
本発明の別の側面は、容器のためのキャップおよびシールアセンブリであって、容器の基部と係合可能な少なくとも１つのネジ山を備えているキャップと、キャップ上に保持されるシール部材とを備え、キャップおよびシール部材は、キャップが容器の基部に固着されるまで、キャップ上にシール部材を一時的に保持するように構築および配置されている、容器のためのキャップおよびシールアセンブリを提供することである。
【０００６】
本発明のさらなる側面は、容器を密閉する方法であって、容器基部を流動性材料で少なくとも部分的に充填することと、キャップおよびシール部材を一緒に容器基部上に搭載することとを含み、キャップおよびシール部材は、キャップが容器基部から後に除去される場合、互に係合を解くように構築および配置されている、容器を密閉する方法を提供することである。
【０００７】
本発明のこれらおよび他の側面は、以下の説明からより明白となるであろう。
【図面の簡単な説明】
【０００８】
【図１】図１は、本発明のある実施形態による、容器基部、キャップ、およびシール配置を例証する、切取等角図である。
【図２】図２は、図１の容器アセンブリの分解切取等角図である。
【図３】図３は、キャップおよびシールが容器の基部上に最初に搭載される場合、単一ユニットとして、どのように一緒に取り付けられるかを示す、図１の半田ペースト容器アセンブリのキャップおよびシール配置の切取等角図である。
【図４】図４は、キャップが容器の基部から除去される場合、シールが、どのようにキャップから係合を解かれるかを例証する、キャップが除去された状態における、容器の基部上に固着されたシールの切取等角図である。
【図５】図５は、本発明のある実施形態による、容器基部の等角図である。
【図６】図６は、図５の容器基部側面図である。
【図７】図７は、図５の容器基部の別の側面図である。
【図８】図８は、図７の線８−８を通る横断面図である。
【図９】図９は、図７の線９−９を通る縦断面図である。
【図１０】図１０は、本発明のある実施形態による、容器キャップの等角図である。
【図１１】図１１は、図１０の容器キャップの断面図である。
【図１２】図１２は、図１１の容器キャップの一部の拡大図である。
【図１３】図１３は、本発明のある実施形態による、容器シールの断面図である。
【図１４】図１４は、図１３の容器シールの断面図である。
【発明を実施するための形態】
【０００９】
図１−４に示されるように、本発明のある実施形態による、容器アセンブリ１０は、容器基部２０と、キャップ３０と、シール部材４０とを含む。追加のピストンシール５０が、容器１０の基部２０内に搭載されて示される。しかしながら、ピストンシール５０は、シール部材４０が使用される場合、随意であり得ることを理解されたい。本発明のある実施形態では、容器アセンブリ１０は、半田ペーストを含むために使用され得る。しかしながら、他のタイプのペースト、液体、および流動性材料が、容器アセンブリ１０内に含まれ得ることを理解されたい。
【００１０】
図１−９に示されるように、基部２０は、略円筒形であって、丸形の内部底部分２１を伴い、容器基部２０の表面からの半田ペーストまたは他の材料の除去を促進する。ネジ山付き閉鎖部２２は、基部２０の上縁２４に提供される。環状縁２５は、基部２０を囲む。リッジ付き停止部材２６は、環状縁２５に隣接して基部２０の外周の周囲に１８０度離間され、基部２０から半径方向外向きに延在する。示される実施形態では、ネジ山付き閉鎖部２２は、容器を閉鎖するために、キャップを９０度のみ回転させることを必要とする１／４回転閉鎖の形態である。しかしながら、他のネジ山付き閉鎖部、スナップ嵌めキャップ等、任意の他の好適な閉鎖方式が、使用され得る。
【００１１】
図１−４および１０−１２に示されるように、キャップ３０は、基部２０の対応する１／４回転ネジ山２２に係合する１／４回転ネジ山３２を含む。１／４回転ネジ山３２は、任意の他のネジ山付き方式、ならびに前述のように、スナップ嵌めキャップ等、任意の他の好適な閉鎖方式と置換され得ることに留意されたい。キャップ３０は、斜縁３５を伴う、下向きに延在する環状リング３４を含む。より完全に後述されるように、シール部材４０は、リング３４との係合を通して、一時的に、キャップ３０上に保持される。リッジ付き停止部材３６は、蓋３０の内周の周囲に９０度離間され、蓋から半径方向内向きに延在し、基部２０のリッジ付き停止部材２６に係合する。キャップ３０が、基部２０上に固着される場合、リッジ付き停止部材３６のうちの２つが、基部２０の対向するリッジ付き停止部材２６に係合し、キャップ３０が、手で締められると、触覚フィードバックを提供する。２つのリッジ付き停止部材２６が、基部２０上に示され、４つのリッジ付き停止部材３６が、キャップ３０上に示されるが、任意の他の好適な数および形状の触覚停止部材が、使用され得る。
【００１２】
図１−４、１３、および１４に示されるように、シール部材４０は、略円筒形側壁４２と、側壁４２から半径方向外向きに延在する、環状縁４３とを有する。環状縁４３の下面は、基部２０の上縁２４に接触する。略円筒形側壁４２は、円形フランジ４５を有する、半径方向内向きに延在する縁４４に接続される。示される実施形態では、内向きに延在する縁４４は、略円錐形形状を有するが、しかしながら、任意の他の好適な形状が、使用され得る。
【００１３】
円筒形側壁４２の外側表面の少なくとも一部は、基部２０の上側部分の内側表面に接触し、例えば、締まり嵌めによって、その間にシールを形成する。円筒形側壁４２の外側表面から外向きに、短い半径方向距離だけ延在する、少なくとも１つの隆起リング４６は、シール部材４０と基部２０との間の所望の嵌まりおよび密閉特性を提供するために使用され得る。示される実施形態では、２つのそのようなリング４６が、使用されるが、しかしながら、任意の他の好適な数のリングが、提供され得る。したがって、シール部材４０が、基部２０上に搭載されると、側壁４２の外側表面と基部２０の内側表面との間の接触によって、空気が、基部２０の内部に流入するのを防止する。追加の密閉が、環状縁４３の下面と基部２０の上縁２４との間の接触によって提供され得る。
【００１４】
図１、３、および１１−１４に示されるように、シール部材４０の円形フランジ４５は、キャップ３０の下向きに延在するリング３４の外側表面に接触する、内側表面を有する。ある実施形態では、フランジ４５の内側表面から半径方向内向きに延在する、少なくとも１つの隆起リング４８が、シール部材４０とキャップ３０の環状リング３４との間に所望の嵌まりを提供するために使用され得る。円形フランジ４５または隆起リング４８の内側縁と下向きに延在するリング３４の外径との間の接触は、生産中にキャップ３０が、最初に、基部２０上に搭載される場合、シール部材４０をキャップ３０上に保持する。したがって、容器基部２０が、半田ペーストで充填された後、基部２０上に、ユニットとして、シール部材４０およびキャップ３０を一緒に載置するための単一動作が必要とされる。示される実施形態では、キャップ３０の下向きに延在するリング３４は、キャップ３０上へのシール部材４０の初期載置を促進するために、面取りされる３５。
【００１５】
基部２０、キャップ３０、およびシール部材４０は、ポリエチレン、ポリプロピレン等の任意の好適な材料から作製され得る。例えば、構成要素は、ポリエチレンから作製され得る。一実施形態では、基部２０およびキャップ３０は、高密度ポリエチレンから作製される一方、シール部材４０は、低密度ポリエチレンから作製される。ピストンシール５０が使用される場合、ポリエチレン、例えば、低密度ポリエチレンから作製され得る。
【００１６】
一実施形態では、縁４４、フランジ４５および隆起リング４８の寸法、ならびに下向きに延在するリング３４の寸法は、例えば、シール部材４０が、キャップ３０上に搭載された場合、若干の締まり嵌めまたはプレス嵌めが提供されるように、例えば、若干のフランジ４５の外向き半径方向変形および／またはリング３４の内向き半径方向変形が生じるように選択される。そのような嵌まりまたは接触は、キャップ３０が、最初に、基部２０上に搭載されるまで、シール部材４０をキャップ３０上の定位置に保持する。同様に、シール側壁４２または隆起リング４６の外径および基部２０の内径の寸法は、空気が、基部２０の内部に流入するのを防止する一方、過度の力を伴わずに、手によって、シール部材４０を基部２０から除去可能にするために十分な接触または締まり嵌めが、基部２０とシール部材４０との接触表面間に提供されるように選択される。対応する部品間の接触または締まり嵌めの程度は、当業者による通常の実験によって選択され得る。
【００１７】
本発明のある実施形態によると、フランジ４５とリング３４との間の接触に起因する、シール部材４０をキャップ３０から除去するために必要な力は、シール側壁４２または隆起リング４６の外側表面と基部２０の内側表面との間の接触に起因する、シール部材４０を基部２０から除去するために必要な力より少ない。この態様において、容器アセンブリ１０の初期充填および生産中に、キャップ３０およびシール部材４０は、シールおよびキャップを標準的容器に別個に搭載するために従来必要とされた余分な生産ステップを必要とせずに、単一ユニットとして、基部２０上に搭載され得る。しかしながら、容器アセンブリ１０が、キャップ３０を基部２０から除去することによって、ユーザによって最初に開放された場合、キャップの側壁４２または隆起リング４６と基部２０の内側との間の接触に起因して、シール部材４０は、キャップ３０から係合を解き、基部２０上に固着されたままである。続いて、ユーザによって、シール部材４０が基部２０から除去された場合、それは、随意に、便宜または安全維持のために、キャップ３０上に押圧されることができ、その場合、シール部材４０は、キャップ３０が基部２０に固着される場合に、基部２０上に自動的に再搭載されるであろう。
【００１８】
生産中に、キャップ３０およびシール部材４０が、単一ユニットとして基部２０上に搭載されることを可能にすることに加え、シール部材４０の半径方向内向きに延在する縁４４は、基部２０からのシール部材４０の除去のためのつまみを提供する。シール側壁４２または隆起リング４６の外側表面は、基部２０の内側表面に対して押しつけるので、シール部材４０を基部２０から除去するためにある力の量が必要とされ、半径方向内向きに延在する縁４４は、そのような力に対して、シール部材４０の除去を促進するために把持表面を提供する。
【００１９】
本発明を実施するための形態の目的のために、本発明は、明示的にそうではない旨が記載されない限り、種々の代替変形例を想定し得ることを理解されたい。前述の説明に開示される概念から逸脱することなく、本発明に修正を行い得ることは、当業者によって容易に理解されるであろう。そのような修正は、請求項が、その文言によって、明示的にそうではない旨を記載しない限り、以下の請求項内に含まれるものと見なされたい。故に、本明細書に詳細に説明される特定の実施形態は、例証にすぎず、添付の請求項およびそのあらゆる均等物の完全範囲が与えられるべき発明の範囲を限定するものではない。
【図１】
2013535383.tif 000003
【図２】
2013535383.tif 000004
【図３】
2013535383.tif 000005
【図４】
2013535383.tif 000006
【図５】
2013535383.tif 000007
【図６】
2013535383.tif 000008
【図７】
2013535383.tif 000009
【図８】
2013535383.tif 000010
【図９】
2013535383.tif 000011
【図１０】
2013535383.tif 000012
【図１１】
2013535383.tif 000013
【図１２】
2013535383.tif 000014
【図１３】
2013535383.tif 000015
【図１４】
2013535383.tif 000016
【国際調査報告】
2013535383.tif 000017
2013535383.tif 000018